(57)【要約】【課題】扉の端部より中央側に、ハンドル部、操作部などを簡単な構成と少ない部品点数で、ドアパネルおよびハンドルの嵌合部からの発泡断熱材の漏洩することなく取り付けた冷蔵庫を提供すること。【解決手段】扉の前面を構成するドアパネル５１と、操作設定する操作部５７と、操作部を収納する収納部５５と、内側面に凹部５９を有するハンドル部５６とを備え、ドアパネル５１に設けられた開口部５４に収納部５５とハンドル部５６とを取り付けることにより、扉の端部より中央側に、扉前面の凹凸を少なくして構成することができる。【選択図】図２
2013088088.tif 000002
【特許請求の範囲】
【請求項１】
冷蔵庫本体に設けられた扉の前面を構成するドアパネルと、冷蔵庫本体内の温度を操作設定する操作部と、前記操作部を収納する収納部と、内側面に凹部を有するハンドル部とを備え、前記ドアパネルに設けられた開口部に前記収納部と前記ハンドル部とを設けたことを特徴とする冷蔵庫。
【請求項２】
前記収納部と一体に構成され前記開口部の周囲を覆うカバー部を備え、前記カバー部は扉の全高に亘る長さを有するともに、前記ドアパネルの正面側から取り付けられたことを特徴とする請求項１に記載の冷蔵庫。
【請求項３】
前記ハンドル部は、前記収納部の下方に前記ドアパネルの背面側から取り付けられたことを特徴とする請求項１または請求項２に記載の冷蔵庫。
【請求項４】
前記収納部および／または前記ハンドル部の周囲には、樹脂性の枠部材が設けられたことを特徴とする請求項１〜３のいずれか１項に記載の冷蔵庫。
【請求項５】
前記枠部材は、外周に軟質のヒレ形状を有することを特徴とする請求項４に記載の冷蔵庫。
【請求項６】
前記ドアパネルは、前記開口部の周囲に絞り部を備えたことを特徴とする請求項１に記載の冷蔵庫。
【発明の詳細な説明】
【技術分野】
【０００１】
本発明は、冷蔵庫において、ハンドルあるいは操作部を有した扉に関するものである。
【背景技術】
【０００２】
従来、この種の冷蔵庫の扉は、左右を折り曲げたドアパネルの高さ方向中央に側面より切り欠き部を設け、横方向からハンドルを取付け、その周辺に絞り部を設けることにより構成されている（例えば、特許文献１参照）。
【０００３】
図５は、特許文献１に記載された従来の扉の分解斜視図である。図５に示すように、扉は、主に、ドアパネル１１と、上扉枠部材１２、下扉枠部材１３と、ハンドルベース１４と、ハンドルベース上下のシール部材１５、１６から構成されている。
【０００４】
そして、ドアパネル１１、上扉枠部材１２、下扉枠部材１３、ハンドルベース１４と、内板から構成される空間に発泡断熱材を充填し、扉を形成している。ハンドルベース１４の側方に位置するドアパネル１１には、凹部１１ｂが設けられている。これにより、ハンドルベース１４の外側面と凹部１１ｂとの間に空間が形成され、この空間に手を掛けることで、扉を開閉することができる。
【先行技術文献】
【特許文献】
【０００５】
【特許文献１】特開２００４−１１６７８８号公報
【発明の概要】
【発明が解決しようとする課題】
【０００６】
しかしながら、前記従来の構成では、ドアパネル１１の高さ方向中央に側面より切り欠き部１１ａを設け、横方向からハンドルベース１４を取付ける構成のため、ドアパネル１１の幅方向中央部に、ハンドル部、操作部などを構成できないという課題をいう課題を有する。
【０００７】
また、ドアパネル１１の前面に凹部１１ｂを設けることにより、扉表面に凹凸が生じるとともに、ハンドルが冷蔵庫の前方に突出するため、扉表面の連続性を妨げ、外観意匠上、扉の統一感を損なうという課題を有していた。
【０００８】
また、ドアパネル１１およびハンドルベース１４の部品嵌合部からの発泡断熱材の漏洩防止のため付加材であるシール部材１５、１６の貼付をおこなうため、コストアップおよび組立工数が増加するという課題を有していた。
【０００９】
本発明は、前記従来の課題を解決するもので、扉の端部より中央側に、ハンドル部、操作部などを簡単な構成と少ない部品点数で、ドアパネルおよびハンドルの嵌合部からの発泡断熱材の漏洩することなく取り付けることができ、断熱性能を充分確保した外観意匠性に優れた冷蔵庫を提供するものである。
【課題を解決するための手段】
【００１０】
前記従来の課題を解決するために、本発明の冷蔵庫は、冷蔵庫本体に設けられた扉の前面を構成するドアパネルと、冷蔵庫本体内の温度を操作設定する操作部と、前記操作部を収納する収納部と、内側面に凹部を有するハンドル部とを備え、前記ドアパネルに設けられた開口部に前記収納部と前記ハンドル部とを設けたことにより、扉の端部より中央側に
、ハンドル、操作部を構成したものである。
【００１１】
これによって、扉前面の凹凸を少なくし、扉の連続性を損なうことなく、外観意匠性を向上させた冷蔵庫を提供することができる。
【発明の効果】
【００１２】
本発明の冷蔵庫は、扉の端部より中央側に、ハンドル、操作部などを扉前面の凹凸を少なく構成できるため、扉の連続性を損なうことなく、外観意匠性を向上することができる。また、簡単な構成と少ない部品点数で構成できるため、部品コストおよび作業工数を低減することができる。
【図面の簡単な説明】
【００１３】
【図１】本発明の実施の形態１における冷蔵室扉の分解斜視図
【図２】本発明の実施の形態１における冷蔵室扉の部品構成を示す分解斜視図
【図３】本発明の実施の形態１における枠部材の要部断面図
【図４】本発明の実施の形態２におけるドアパネルの要部斜視図
【図５】従来の冷蔵庫の扉の分解斜視図
【発明を実施するための形態】
【００１４】
第１の発明は、冷蔵庫本体に設けられた扉の前面を構成するドアパネルと、冷蔵庫本体内の温度を操作設定する操作部と、前記操作部を収納する収納部と、内側面に凹部を有するハンドル部とを備え、前記ドアパネルに設けられた開口部に前記収納部と前記ハンドル部とを設けたことにより、扉の端部より中央側に、ハンドル部、操作部を、扉前面の凹凸を少なくして構成することができる。
【００１５】
第２の発明は、特に、第１の発明において、前記収納部と一体に構成され前記開口部の周囲を覆うカバー部を備え、前記カバー部は扉の全高に亘る長さを有するともに、前記ドアパネルの正面側から取り付けられたことにより、部品の合わせラインが出ない構成とすることになり、外観意匠性および組立工程品質を向上することができる。
【００１６】
第３の発明は、特に、第１または第２の発明において、前記ハンドル部は、前記収納部の下方に前記ドアパネルの背面側から取り付けられたことで、扉の端部より中央側に、ドアパネルの表面より奥側にハンドル部を構成することができ、扉前面の凹凸を少なくし外観意匠性を向上するとともに、ハンドル部とドアパネルとの嵌合部からの断熱材の漏洩の防止を、組み立て性を向上するともに実現できる。
【００１７】
第４の発明は、特に、第１〜第３のいずれか１つの発明において、前記収納部および／または前記ハンドル部の周囲には、樹脂性の枠部材が設けられたことにより、収納部、ハンドル部とドアパネルとの嵌合部からの断熱材の漏洩の防止を、組み立て性を向上するともに実現できる。
【００１８】
第５の発明は、特に、第４の発明の枠部材は、外周に軟質のヒレ形状を有することにより、嵌合部からの断熱材の漏洩を防止することにより、構成を簡素化して部品点数を減少し、組み立て性を向上することができる。
【００１９】
第６の発明は、特に、第１の発明のドアパネルは、前記開口部の周囲に絞り部を備えたことにより、扉の端部より中央側に開口部を形成することによる強度低下を低減し、組立時のドアパネルの変形を防止することができる。
【００２０】
以下、本発明の実施の形態について図面を参照しながら説明する。なお、本実施の形態
によって本発明が限定されるものではない。
【００２１】
（実施の形態１）
図１は、本発明の第１の実施の形態における冷蔵庫の構成を示す断面図である。
【００２２】
図１において、冷蔵庫本体２０は、樹脂製の内箱２１と鋼板製の外箱２２の間に発泡断熱材２３を充填し、断熱箱体２４を構成している。発泡断熱材２３は、ウレタン発泡断熱材で構成されている。内箱２１内は、断熱仕切壁２５で、断熱箱体２４を上下に仕切っている。冷蔵庫本体２０には、冷蔵室２６、冷凍室２７が設けられている。冷蔵室２６の前面開口部には、ヒンジ式の冷蔵室扉２８を構成し、冷凍室２７の前面開口部には、ヒンジ式または引き出し式の冷凍室扉２９を構成している。
【００２３】
また、冷凍室２７後方には冷却器室３０が構成され、冷凍室２７と冷却器室３０は、冷却器室カバー３１で仕切られている。冷却器室３０には、冷却器３２が設けられており、その下方に除霜装置３３を配置している。除霜装置３３は、除霜用のヒータと除霜水の受け皿で構成されている。
【００２４】
送風機３４には、直流式のボックス型の軸流ファンを用いていることができる。送風機３４は、断熱仕切壁２５内の断熱部３６に圧入支持される。このため、送風機３４は、その主要部分を断熱仕切壁２５の圧入部３５内に収容した構成となる。断熱部３６は、ポリスチレン系樹脂（発泡スチロール）で構成されている。
【００２５】
断熱仕切壁２５の外部は、下板３７ａ、上板３７ｂなどからなる樹脂部３７で構成されている。下板３７ａは、冷凍室２７の天井を構成し、上板３７ｂは、冷蔵室２６の底部を構成している。
【００２６】
冷蔵室２６の背面には化粧カバー３８が設けられており、送風機３４から吐出される冷気３９を上方に導く冷蔵室吐出通路４０を内箱２１との間に構成している。化粧カバー３８の上方と側部から冷蔵室２６に向かって冷気３９を吹き出すようにしている。
【００２７】
冷蔵庫本体２０の下部後方には機械室４１が配置され、圧縮機４２を設けている。また、冷凍室２７後方には、冷却器３２、除霜装置３３を配置し、送風機３４の中心軸は、断熱仕切壁２５内に配置されている。冷凍室２７に対して、送風機３４から吐出される冷気３９の一部が冷却器室カバー３１の開口（図示せず）を介して吹き出すようにしている。
【００２８】
断熱仕切壁２５のうち、冷蔵室２６と冷凍室２７の前面開口部側に設けた断熱仕切壁前部４３は、断熱仕切壁２５の冷蔵室２６と冷凍室２７の奥側に配置した断熱仕切壁後部４４の冷蔵室２６と冷凍室２７の前面開口部側を延長し構成した張り出し部４５の上に配置するようにしている。
【００２９】
断熱仕切壁前部４３は、断熱仕切壁２５の上板３７ｂの前側を屈曲させて構成している。張り出し部４５は、冷凍室２７の上部の前面開口の左右幅方向に均一に構成するようにして、冷凍室２７の内面の断熱壁の一部を構成するようにしている。張り出し部４５は、断熱仕切壁２５の下板３７ａを屈曲させて構成するようにしている。断熱仕切壁２５は、この断熱仕切壁前部４３と断熱仕切壁後部４４の２部品で構成している。断熱仕切壁前部４３と断熱仕切壁後部４４の内部は、断熱部３６で構成している。
【００３０】
断熱仕切壁前部４３と断熱仕切壁後部４４の周囲は、樹脂部３７で覆われ、それぞれ前部カバー４６（断熱仕切壁２５の上板３７ｂと兼ねる）と後部カバー４７（断熱仕切壁２５の下板３７ａと兼ねる）として、強度と密閉構成を維持するようにしている。断熱仕切
壁前部４３と断熱仕切壁後部４４との結合は、ビスまたは接着剤、テープ等で行うようにしている。
【００３１】
断熱仕切壁前部４３と断熱仕切壁後部４４の冷蔵室２６と冷凍室２７の前面開口側の壁面は、略同一面に構成され、冷蔵室扉２８と冷凍室扉２９の内面の外周部に装着したガスケット４８を押し付けて、シールを行うようにしている。
【００３２】
図２は本実施の形態における冷蔵室扉２８の分解斜視図を示すものである。
【００３３】
冷蔵室扉２８は、内板５０と、左右端部を折り曲げたドアパネル５１と、ドアパネル５１の上下に配置した上扉枠部材５２、下扉枠部材５３と、ドアパネル５１に設けられた開口部５４を塞ぐ収納部５５とハンドル部５６とで構成される空間に発泡断熱材が充填発泡され構成されている。
【００３４】
内板５０の冷蔵室側には、貯蔵品を収納するドアポケット等が取り付けられる溝などが形成されている。また、内板５０の冷蔵室側周縁部には、シール部材であるガスケット４８が設けられている。
【００３５】
開口部５４は、ドアパネル５１の幅方向中央左寄りに、上下端面を必要寸法残し高さ方向の中央部に、上下方向に長尺の矩形の開口として設けられている。この開口部５４の上方には、ドアパネル５１の正面側から収納部５５が嵌め込まれる。また、この開口部５４の下方には、ドアパネル５１の背面側からハンドル部５６が嵌め込まれる。収納部５５の下端部とハンドル部５６の上端部は接するように取り付けられることとなる。
【００３６】
収納部５５には、冷蔵室２６や冷凍室２７内の温度設定などを設定する操作部５７が、ドアパネル５１の正面側から収納される。操作部５７には、冷蔵室２６や冷凍室２７内の温度設定状況や実際の温度を表示する表示部や、温度や照度などを感知するセンサを設けてもよい。
【００３７】
収納部５５は、ドアパネル５１の正面側から凹に凹み形状が成形された樹脂製のケースであり、凹みの内側面には、爪（図示せず）が設けられている。この爪を操作部５７や操作部５７の表面に設けられた化粧板と係合させ、操作部５７は収納部５５に固定される。
【００３８】
ハンドル部５６には、上下方向に長尺で、ドアパネル５１の正面側から凹に形成された背面方向凹部５８が設けられている。その背面方向凹部５８の内側の両側面には、冷蔵室扉２８の左右方向に凹に形成された凹部５９が設けられている。凹部５９は指が楽に入る程度の大きさと深さを有している。そして、この凹部５９に手を掛けることで、冷蔵室扉２８の開閉を行うことができる。
【００３９】
ハンドル部５６の奥行き方向の長さは、ドアパネル５１の左右端部の奥行き方向の長さより短くなるように構成されている。
【００４０】
ハンドル部５６の周囲には、開口部５４の端面を覆う縁形状を形成し、ドアパネル５１の背面に密着する第１の枠部材６１が設けられている。第１の枠部材６１はハンドル部５６とともに樹脂で成形されている。
【００４１】
収納部５５の周囲には開口部５４の周囲を覆うカバー部６０が収納部５５と一体に成形されている。カバー部６０は、収納部５５とともにドアパネル５１の正面側からドアパネル５１に取り付けられる。カバー部６０は、樹脂を射出成形した長尺部品であり、開口部５４端面を覆う縁形状を形成し、ドアパネル５１の正面側の表面に密着して設置される。
【００４２】
カバー部６０の上方には収納部５５が設けられており、カバー部６０の下方には開口部５４の下方のハンドル部５６に対応した位置に開口が設けられている。カバー部６０の長手方向の寸法は、冷蔵室扉２８の長手方向寸法と合致する寸法としている。このため、冷蔵室扉２８の表面に全高に亘り設置される。すなわち、カバー部６０の上下端部は、上扉枠部材５２と、下扉枠部材５３とにそれぞれ接することとなる。
【００４３】
ドアパネル５１に取り付けられた収納部５５の周囲に対応する位置には、樹脂性の第２の枠部材６２が設けられている。第２の枠部材６２の下端部と第１の枠部材６１の上端部は一部が重なるように取り付けられる。
【００４４】
第２の枠部材６２について、図３を用いてさらに説明する。図３は、図２の第２の枠部材６２におけるＡＡ断面図である。
【００４５】
第２の枠部材６２は、主に、開口部５４の端面を覆う縁形状を形成しドアパネル５１の背面に密着する枠本体部６３と、枠本体部６３の内側端部からほぼ直角に曲げて形成され収納部５５の凹みの外側面に対向する側面部６４と、枠本体部６３と側面部６４との間に設けられた強度補強のためのリブ部６５から構成されている。さらに、枠本体部６３の外側端部には、先端に行くほど肉厚が薄くなるように構成されたヒレ部６６が設けられている。
【００４６】
なお、第１の枠部材６１も、第２の枠部材６２と同様に、開口部５４端面を覆う縁形状となりドアパネル５１の背面に密着する枠本体部と、ハンドル部５６の背面方向凹部５８の外側面との間にも強度補強のためのリブ部が設けられている。さらに、第１の枠部材６１の枠本体部の外側端部にも、先端に行くほど肉厚が薄くなるように構成されたヒレ部が設けられている。
【００４７】
以上説明したように、本実施の形態では、ドアパネル５１の開口部５４の上方に操作部５７を取り付け、下方にドアパネル５１の表面より奥側に手を掛けるための凹部を備えてハンドル部５６を取り付けるために、冷蔵室扉２８の左右方向の端部より中央側に、ハンドル部５６、操作部５７を、冷蔵室扉２８の前面の凹凸を少なくして構成することができる。このため、ハンドル部５６は、使用者の邪魔にならず、意匠的に見栄えを良くすることができる。
【００４８】
さらに、収納部５５と一体に構成され開口部５４の周囲を覆うカバー部６０の高さを、冷蔵室扉２８の全高に亘る長さとしている。そして、このカバー部６０をドアパネル５１の正面側から取り付けることにより、部品の合わせラインが出ない構成とすることになり、外観意匠性および組立工程品質を向上することができる。さらに、開口部５４は、ドアパネル５１の上下端面に必要寸法を残して設けられているために、ドアパネル５１が分割されることがないにもかかわらず、カバー部６０の高さを、冷蔵室扉２８の全高に亘る長さとしているので、操作部５７やハンドル部５６が一体的に冷蔵室扉２８の全高に亘って取り付けられているように見える。これにより、すっきりした印象を与え、意匠的に見栄えが良くなる。
【００４９】
さらに、ハンドル部５６は、ドアパネル５１の背面側から取り付けるので、ドアパネル５１の開口部５４の端部を、ハンドル部５６とカバー部６０とで挟み込むことができ、ハンドル部５６とドアパネル５１との嵌合部からの断熱材の漏洩の防止を、簡単な構成で実現できる。特に、ハンドル部５６の周囲には、第１の枠部材６１が一体に形成されているので、別途、シール用の部材を取り付ける必要が無いので、組み立て性が向上するとともに、嵌合部からの断熱材の漏洩の防止をより確実にできる。
【００５０】
さらに、収納部５５の周囲には、第２の枠部材６２が位置することとなるため、ドアパネル５１の開口部５４の端部を、第２の枠部材６２とカバー部６０とで挟み込むことができ、収納部５５とドアパネル５１との嵌合部からの断熱材の漏洩の防止を、簡単な構成で実現できる。また、第２の枠部材６２の下端部と第１の枠部材６１の上端部は一部が重なるように取り付けられているので、収納部５５とハンドル部５６との嵌合部からの断熱材の漏洩も防止できる。
【００５１】
さらに、第１の枠部材６１や第２の枠部材６２の外周の端部には、先端に行くほど肉厚が薄くなるヒレ部が設けられている。これにより、第１の枠部材６１や第２の枠部材６２の外周に、軟質のヒレ形状を有することとなり、より確実に、嵌合部からの断熱材の漏洩を防止することができる。
【００５２】
（実施の形態２）
図４は、本発明の実施の形態２における冷蔵庫のドアパネルの要部斜視図である。本実施の形態においては、第１の実施の形態と異なる点のみを説明し、同様の構成、動作、作用については、説明を省略する。
【００５３】
図４に示すように、本発明の実施の形態では、ドアパネル５１の開口部５４の全周囲に絞り部７１を備えている。絞り部７１は、ハンドル部５６や収納部５５を取り付けた後に、第１の枠部材６１や第２の枠部材６２と干渉しないように、開口部５４から、第１の枠部材や第２の枠部材６２の幅より大きい余地を残して設けられている。この絞り部７１により、強度が向上するので、ドアパネル５１のほぼ全高に亘る大きな開口部５４を設けても、ドアパネル５１の運搬時や、冷蔵室扉２８の組立時にドアパネル５１が変形することがない。
【００５４】
これにより、冷蔵室扉２８の左右方向の端部より中央側に、ハンドル部５６、操作部５７などを扉前面の凹凸を少なく構成でき、外観意匠性を向上することができるとともに、簡単な構成と少ない部品点数で構成できるため、部品コストおよび作業工数を低減することができる。
【産業上の利用可能性】
【００５５】
以上のように、本発明にかかる冷蔵庫は、部品コストおよび作業工数を低減しつつ、扉の端部より中央側に、ハンドル、ドア操作部などを扉前面の凹凸を少なく構成できるため、家庭用の冷蔵庫だけでなく、業務用の冷蔵庫等にも適用できる。
【符号の説明】
【００５６】
２０  冷蔵庫本体
２１  内箱
２２  外箱
２３  発泡断熱材
２４  断熱箱体
２５  断熱仕切壁
２６  冷蔵室
２７  冷凍室
２８  冷蔵室扉
２９  冷凍室扉
３０  冷却器室
３１  冷却器室カバー
３２  冷却器
３４  送風機
３５  圧入部
３６  断熱部
３７  樹脂部
３７ａ  下板
３７ｂ  上板
３８  化粧カバー
３９  冷気
４０  冷蔵室吐出通路
４１  機械室
４２  圧縮機
４３  断熱仕切壁前部
４４  断熱仕切壁後部
４５  張り出し部
４６  前部カバー
４７  後部カバー
４８  ガスケット
５０  内板
５１  ドアパネル
５２  上扉枠部材
５３  下扉枠部材
５４  開口部
５５  収納部
５６  ハンドル部
５７  操作部
５８  背面方向凹部
５９  凹部
６０  カバー部
６１  第１の枠部材
６２  第２の枠部材
６３  枠本体部
６４  側面部
６５  リブ部
６６  ヒレ部
７１  絞り部
【図１】
2013088088.tif 000003
【図２】
2013088088.tif 000004
【図３】
2013088088.tif 000005
【図４】
2013088088.tif 000006
【図５】
2013088088.tif 000007